(57)【要約】【課題】  工程管理装置及び制御装置の機能喪失時または機能復旧時における監視装置からの廃棄物情報設定を容易に行うことができるプラント運転監視装置を提供することである。【解決手段】  プラント運転で発生する廃棄物の情報管理を行う工程管理装置２と、プラントの廃棄物処理の制御を行う制御装置３と、プラントの監視及び運転操作を行う監視装置１とを備え、監視装置１は、監視対象である制御装置３が制御する工程に存在する廃棄物の廃棄物情報を記憶した廃棄物情報テーブル１１と、監視装置１が認識している廃棄物情報が実際の廃棄物の状況と相違する状況に陥った場合に廃棄物情報を入力する廃棄物情報入力手段１０１と、廃棄物情報入力手段１０１で入力された廃棄物情報を廃棄物情報テーブル１１に更新する廃棄物情報更新手段１０３とを備える。【選択図】  図１
2006107011.tif 000002
【特許請求の範囲】
【請求項１】
プラント運転で発生する廃棄物の情報管理を行う工程管理装置と、プラントの廃棄物処理の制御を行う制御装置と、プラントの監視及び運転操作を行う監視装置とを備えたプラント運転監視装置において、前記監視装置は、監視対象である前記制御装置が制御する工程に存在する廃棄物の廃棄物情報を記憶した廃棄物情報テーブルと、前記監視装置が認識している廃棄物情報が実際の廃棄物の状況と相違する状況に陥った場合に廃棄物情報を入力する廃棄物情報入力手段と、廃棄物情報入力手段で入力された廃棄物情報を前記廃棄物情報テーブルに更新する廃棄物情報更新手段とを備えたことを特徴とするプラント運転監視装置。
【請求項２】
前記監視装置は、前記工程管理装置から伝送される工程管理装置廃棄物情報通知データによる廃棄物情報と、前記廃棄物情報入力手段から入力される廃棄物情報とを切り替える廃棄物情報切替手段を備えたことを特徴とする請求項１記載のプラント運転監視装置。
【請求項３】
前記監視装置は、廃棄物情報を制御する上で使用する内部処理情報を記憶する廃棄物情報内部処理テーブルと、廃棄物情報入力手段からの入力情報に従い廃棄物情報内部処理テーブルの情報を更新するための廃棄物情報内部処理判定手段とを備えたことを特徴とする請求項２記載のプラント運転監視装置。
【請求項４】
前記監視装置は、廃棄物情報の変更元位置から変更後の位置までにイベントがある場合には変更後の位置にイベント付帯情報を設定することを促す廃棄物情報イベント処理判断手段を備えたことを特徴とする請求項３記載のプラント運転監視装置。
【請求項５】
前記監視装置は、変更した廃棄物情報の変更前・変更後の内容を記憶する廃棄物情報変更操作履歴テーブルを備えたことを特徴とする請求項３又は請求項４記載のプラント運転監視装置。
【請求項６】
前記監視装置は、廃棄物情報を工程別の廃棄物搬送ルートの形状に図式化した画面で表示する廃棄物情報一覧表示手段を備えたことを特徴とする請求項１記載のプラント運転監視装置。
【請求項７】
前記監視装置は、工程管理装置とのデータ伝送状況または制御装置からの廃棄物位置の移動処理の経過記録を動作履歴として記憶する廃棄物情報動作履歴テーブルと、廃棄物情報動作履歴テーブルから動作履歴を抽出し画面表示する廃棄物情報動作履歴表示手段とを備えたことを特徴とする請求項３記載のプラント運転監視装置。
【発明の詳細な説明】
【技術分野】
【０００１】
本発明は、プラントにおける廃棄物の情報管理を行うプラント運転監視装置に関する。
【背景技術】
【０００２】
原子力プラントや産業用プラントにおける廃棄物の情報管理を行う運転監視装置は、廃棄物処理の運転制御を制御装置により行い、その運転状況をディスプレイに画面表示して監視装置によりプラントの稼動状態監視や運転操作を集中的に行う。制御装置や監視装置は制御ＬＡＮで接続され、プラント運転にて発生する廃棄物情報の管理を行う工程管理装置により集中的に行うようになっている。
【０００３】
図８は、従来の廃棄物情報管理を行うプラント運転監視装置の構成図である。制御ＬＡＮ４には工程管理装置２が接続されると共に、複数の監視装置１及び複数の制御装置３が接続される。
【０００４】
監視装置１は監視対象である制御装置３が制御する工程に存在する廃棄物情報を監視するものであり、廃棄物情報テーブル１１を有している。この廃棄物情報テーブル１１には、監視対象である制御装置３が制御する工程に存在する廃棄物の状態情報を規則的に信号配列した情報（廃棄物情報）が廃棄物所在位置別に記憶されている。制御装置３はプラント５に対しプラント制御信号Ｐを出力しプラントを制御する。
【０００５】
監視装置１は、廃棄物情報テーブル１１で管理している工程の廃棄物の位置情報を示す監視装置廃棄物情報在荷データＤ１１を制御ＬＡＮ４を経由して監視対象の制御装置３に伝送する。制御装置３は監視装置廃棄物情報在荷データＤ１１と、搬送機構の駆動や廃棄物位置検知機構の動作状態などの制御状況とに従い、プラント５の廃棄物情報の変化を通知する制御装置廃棄物情報通知データＤ１２を生成し監視装置１に伝える。
【０００６】
監視装置１は制御装置３から伝送された来た制御装置廃棄物情報通知データＤ１２に基づき廃棄物情報テーブル１１を更新し、運転監視に必要なデータを図示省略のディスプレイの画面に表示している。
【０００７】
工程管理装置２は、管理対象の監視装置１の廃棄物情報を廃棄別単位で管理するための工程管理装置廃棄物情報テーブル２１を有している。プラント運転を開始するために監視装置１が必要とする廃棄物情報は、工程管理装置廃棄物情報テーブル２１から工程管理装置廃棄物情報通知データＤ１４で監視装置１に伝送され、監視装置１はこれを自身の廃棄物情報テーブル１１に更新する。
【０００８】
また、制御装置３からの制御装置廃棄物情報通知データＤ１２により更新された廃棄物情報テーブル１１の廃棄物情報は、監視装置廃棄物情報通知データＤ１３として工程管理装置２に伝送される。工程管理装置２では監視装置廃棄物情報通知データＤ１３を受信すると工程管理装置廃棄物情報テーブル２１を更新する。このような一連のデータの流れによって、プラント５の廃棄物情報の管理を行っている。
【発明の開示】
【発明が解決しようとする課題】
【０００９】
ところが、このような従来のプラント運転監視装置では、工程管理装置２と監視装置１との間のデータ伝送で、工程管理装置２が電源喪失や装置異常等により機能喪失した場合には、監視装置１は運転を開始する上で必要な廃棄物情報テーブル２１の廃棄物情報を入手できず運転の継続ができなくなる。また運転中に変更される監視装置１からの廃棄物情報を工程管理装置２が保存できないままになり、廃棄物情報に差異が発生することになる。
【００１０】
また、監視装置１と制御装置３との間のデータ伝送でも同じ様に、制御装置３の異常やプラント補機の異常により、監視装置１が管理している廃棄物情報と実際の廃棄物状況に差異が発生した場合には、廃棄物情報と実際の廃棄物状況とを一致させる必要があり、その場合、廃棄物自体を廃棄物情報の状態に戻すか、廃棄物情報テーブル１１の構造を熟知したソフト設計者が手入力によって正常な情報へ復旧させることが必要となる。従って、正常な情報に復旧させるための作業が必要となり、運転稼働率が低下し、情報再設定入力の煩雑さがある。
【００１１】
本発明は、工程管理装置及び制御装置の機能喪失時または機能復旧時における監視装置からの廃棄物情報設定を容易に行うことができるプラント運転監視装置を提供することを目的とする。
【課題を解決するための手段】
【００１２】
本発明のプラント運転監視装置は、プラント運転で発生する廃棄物の情報管理を行う工程管理装置と、プラントの廃棄物処理の制御を行う制御装置と、プラントの監視及び運転操作を行う監視装置とを備えたプラント運転監視装置において、前記監視装置は、監視対象である前記制御装置が制御する工程に存在する廃棄物の廃棄物情報を記憶した廃棄物情報テーブルと、前記監視装置が認識している廃棄物情報が実際の廃棄物の状況と相違する状況に陥った場合に廃棄物情報を入力する廃棄物情報入力手段と、廃棄物情報入力手段で入力された廃棄物情報を前記廃棄物情報テーブルに更新する廃棄物情報更新手段とを備えたことを特徴とする。
【発明の効果】
【００１３】
本発明によれば、監視装置が管理している廃棄物情報と実際の廃棄物の状況とが相違する状況に陥った場合であっても、廃棄物の情報または位置に併せて廃棄物情報を追従・復旧することができ、通常の運転監視を継続することができる。
【発明を実施するための最良の形態】
【００１４】
（第１の実施の形態）
図１は本発明の第１の実施の形態に係わるプラント運転監視装置の構成図である。この第１の実施の形態は、図８に示した従来例に対し、プラント補機の動作異常や制御装置自身の故障により、監視装置が認識している廃棄物情報が実際の廃棄物の状況と相違する状況に陥った場合に、廃棄物の情報または位置に併せて、監視装置上から廃棄物情報を追従・復旧する操作ができるようにしたものである。図８と同一要素には同一符号を付し重複する説明は省略する。
【００１５】
図１において、監視装置１には、監視対象である制御装置３が制御する工程に存在する廃棄物の廃棄物情報を記憶した廃棄物情報テーブル１１に加え、廃棄物情報を入力する廃棄物情報入力手段１０１と、廃棄物情報入力手段１０１で入力された廃棄物情報を送信する廃棄物情報送信手段１０２と、廃棄物情報送信手段１０２から送信されて来た廃棄物情報を更新する廃棄物情報更新手段１０３とが追加して設けられている。
【００１６】
監視装置１における図示省略のディスプレイの画面上から廃棄物情報入力手段１０１により廃棄物情報を入力する。廃棄物情報入力手段１０１から入力された廃棄物情報は、廃棄物情報送信手段１０２により廃棄物情報更新手段１０３に送信される。
【００１７】
廃棄物情報更新手段１０３は、廃棄物情報入力手段１０１からの入力された情報に対してチェックを行う。すなわち、入力値が所定範囲外の状態やプラント運転に支障をきたす値であった場合には、廃棄物情報テーブル１１を更新せずに廃棄物情報入力手段１０１に異常の旨を通知し、運転員に情報の再入力を促す。一方、入力された廃棄物情報が正常値内であれば、変更・更新して廃棄物情報テーブル１１に書き込み、廃棄物情報入力手段１０１に正常終了の旨を通知する。
【００１８】
第１の実施の形態によれば、プラント補機の動作異常や制御装置自身の故障により制御装置廃棄物情報通知データの伝送が正常に行われず、監視装置が管理している廃棄物情報と実際の廃棄物の状況とが相違する状況に陥った場合であっても、廃棄物の情報または位置に併せて廃棄物情報を追従・復旧することができる。従って、通常の運転監視を継続することができる。
【００１９】
（第２の実施の形態）
図２は本発明の第２の実施の形態に係わるプラント運転監視装置の構成図である。この第２の実施の形態は、図１に示す第１の実施の形態に対し、廃棄物情報切替手段１０４を追加して設け、工程管理装置２から伝送される工程管理装置廃棄物情報通知データＤ１４による廃棄物情報と、廃棄物情報入力手段１０１から入力される廃棄物情報とを切り替えられるようにしたものである。すなわち、元来、工程管理装置２側で管理する廃棄物情報が工程管理装置２の機能喪失によって監視装置１に伝送不能となった場合に、監視装置１上から専用画面を用いて廃棄物情報を入力・生成する操作ができるようにしたものである。図１と同一要素には同一符号を付し重複する説明は省略する。
【００２０】
図２において、監視装置１がプラント運転を開始するために必要とする廃棄物情報の提供元を、廃棄物情報切替手段１０４を用いて選択させる。廃棄物情報切替手段１０４を切り替える信号入力は、廃棄物情報入力手段１０１から行う。
【００２１】
廃棄物情報入力手段１０１は、工程管理装置２から伝送される工程管理装置廃棄物情報通知データＤ１４による廃棄物情報と、廃棄物情報入力手段１０１から入力する廃棄物情報とを廃棄物情報切替手段１０４を用いて選択させる。
【００２２】
廃棄物情報入力手段１０１から入力された廃棄物情報は、廃棄物情報送信手段１０２から廃棄物情報更新手段１０３に送信される。廃棄物情報更新手段１０３は、廃棄物情報入力手段１０１からの入力された情報に対してチェックを行い、入力値が所定範囲外の状態やプラント運転に支障をきたす値であった場合には、廃棄物情報テーブル１１を更新せずに廃棄物情報入力手段１０１に異常の旨を通知し、運転員に情報の再入力を促す。
【００２３】
一方、入力された廃棄物情報が正常値内であれば、廃棄物情報切替手段１０４に入力し、廃棄物情報切替手段１０４が廃棄物情報入力手段１０１からの入力を選択するように切り替えられているときは、その破棄物情報を廃棄物情報テーブル１１に書き込み、変更・更新して廃棄物情報入力手段１０１に正常終了の旨を通知する。
【００２４】
第２の実施の形態によれば、工程管理装置２が装置故障などの機能喪失状態に陥り、工程管理装置廃棄物情報通知データＤ１４を提供できない場合でも、プラント運転開始に必要な廃棄物情報を監視装置１で代行して入力設定することができ、通常のプラント運転監視を継続することができる。
【００２５】
（第３の実施の形態）
図３は本発明の第３の実施の形態に係わるプラント運転監視装置の構成図である。この第３の実施の形態は、図２に示す第２の実施の形態に対し、廃棄物情報を制御する上で使用する内部処理情報を記憶する廃棄物情報内部処理テーブル１２と、廃棄物情報入力手段１０１からの入力情報に従い廃棄物情報内部処理テーブル１２の情報を更新するための廃棄物情報内部処理判定手段１０５とを備えたものである。図２と同一要素には同一符号を付し重複する説明は省略する。
【００２６】
図３において、廃棄物情報テーブル１１には、監視対象である制御装置３が制御する工程に存在する廃棄物の廃棄物情報が記憶され、廃棄物情報内部処理テーブル１２には、廃棄物情報を制御する上で使用する内部処理用の情報である内部処理情報が記憶されている。
【００２７】
廃棄物情報内部処理判定手段１０５は、廃棄物情報入力手段１０１からの入力情報を廃棄物情報テーブル１１に、廃棄物情報更新手段１０３により更新する際に、廃棄物情報更新手段１０３が変更しようとしている廃棄物情報と、廃棄物情報内部処理テーブル１２が持つ内部処理情報とを比較し、内部処理情報変更の有無を判定する。そして、廃棄物情報内部処理判定手段１０５は、関連する内部処理情報がある場合には、廃棄物情報入力手段１０１からの入力情報に従い廃棄物情報内部処理テーブル１２の情報を更新する。
【００２８】
第３の実施の形態によれば、監視装置１が工程管理装置２または制御装置３に対して伝送する廃棄物情報或いは廃棄物情報を制御する上で使用する内部処理用の情報である内部処理情報を修正できるので、運用する上で運転員が内部処理情報を適切に変更でき、また通常の運転監視を正常に行うことができる。
【００２９】
（第４の実施の形態）
図４は本発明の第４の実施の形態に係わるプラント運転監視装置の構成図である。この第４の実施の形態は、図３に示す第３の実施の形態に対し、廃棄物情報の変更元位置から変更後の位置までにイベントがある場合には変更後の位置にイベント付帯情報を設定することを促す廃棄物情報イベント処理判断手段１０６を備えたものである。
【００３０】
廃棄物情報入力手段１０１の入力情報を廃棄物情報テーブル１１に廃棄物情報更新手段１０３により更新する際に、廃棄物情報イベント処理判断手段１０６は、廃棄物情報更新手段１０３が更新しようとする廃棄物情報の変更元位置から変更後の位置までの廃棄物通過箇所において、通常の廃棄物処理制御で行われる廃棄物充てん処理や容器への蓋取り付け処理などの処理プロセス（イベント）の存在の有無を判断する。
【００３１】
そして、廃棄物情報イベント処理判断手段１０６は、イベントがある場合には変更後の位置に、生成した廃棄物情報にもイベント付帯情報を設定するように、その手順・操作を廃棄物情報入力手段１０１にメッセージ表示させる。
【００３２】
第４の実施の形態によれば、廃棄物情報を追従・復旧する上で、廃棄物位置の変更する元位置から変更後の位置までの廃棄物通過箇所において、発生する特殊な廃棄物情報の変更イベント箇所が存在する場合には、変更後の位置に生成した廃棄物情報にもイベント付帯情報を設定するように、その手順・操作を促すので、更新対象となる廃棄物情報を漏れなく変更することができ、より確実な更新を行うことができる。
【００３３】
（第５の実施の形態）
図５は本発明の第５の実施の形態に係わるプラント運転監視装置の構成図である。この第５の実施の形態は、図４に示す第４の実施の形態に対し、変更した廃棄物情報の変更前・変更後の内容を記憶する廃棄物情報変更操作履歴テーブル１３と、変更した廃棄物情報の変更前・変更後の内容を廃棄物情報変更操作履歴テーブル１３に書き込む廃棄物情報更新履歴保存手段１０７と、廃棄物情報変更操作履歴テーブル１３に記憶された更新履歴を表示するための廃棄物情報更新履歴表示手段１０８とを備えたものである。
【００３４】
廃棄物情報入力手段１０１から入力された入力情報は、廃棄物情報更新手段１０３により監視装置１の廃棄物情報テーブル１１に更新され、また、廃棄物情報内部処理判定手段１０５により廃棄物情報内部処理テーブル１２に更新される。廃棄物情報更新履歴保存手段１０７は、その更新がされた際に、変更した廃棄物情報の変更前・変更後の内容や変更したデータのアドレスや変更した日時などの更新履歴を廃棄物情報変更操作履歴テーブル１３に書き込む。また、廃棄物情報更新履歴表示手段１０８から、変更日時やアドレスなどの規則性を持った情報単位での表示要求の入力を行い、その入力内容に該当するデータを廃棄物情報変更操作履歴テーブル１３から抽出しディスプレイに表示させる。
【００３５】
第５の実施の形態によれば、監視装置から変更した廃棄物情報の変更履歴を記録するので、管理する廃棄物情報に不適切なデータがあった場合の原因解明ができ、早期の問題解決を行える。
【００３６】
（第６の実施の形態）
図６は本発明の第６の実施の形態に係わるプラント運転監視装置の構成図である。この第６の実施の形態は、図１に示す第１の実施の形態に対し、監視装置が監視する廃棄物情報を工程別の廃棄物搬送ルートの形状に図式化した画面で表示する廃棄物情報一覧表示手段１０９を備えたものである。
【００３７】
図６において、監視装置１の廃棄物情報テーブル１１の情報を廃棄物情報一覧表示手段１０９により、廃棄物搬送ルートに則した形態で画面上に表示させる。すなわち、廃棄物情報が表示されている各位置のエリアを画面上から指定することで、廃棄物情報入力手段１０１に展開し廃棄物情報の入力操作ができる。
【００３８】
第６の実施の形態によれば、監視装置が監視する廃棄物情報を工程別の廃棄物搬送ルートの形状に図式化した画面で表示するので、変更操作をする運転員の認識性を向上することができ、変更作業の効率化が図れる。
【００３９】
（第７の実施の形態）
図７は本発明の第７の実施の形態に係わるプラント運転監視装置の構成図である。この第７の実施の形態は、図３に示す第３の実施の形態に対し、廃棄物情報動作履歴テーブル１４、廃棄物情報動作履歴保存手段１１０、廃棄物情報動作履歴表示手段１１１を備えたものである。なお、図７では、廃棄物情報入力手段１０１、廃棄物情報送信手段１０２、廃棄物情報更新手段１０３、廃棄物情報切替手段１０４、廃棄物情報内部処理判定手段１０５の記載を省略している。図３と同一要素には同一符号を付し重複する説明は省略する。
【００４０】
図７において、廃棄物情報動作履歴保存手段１１０は、監視装置１の廃棄物情報テーブル１１や廃棄物情報内部処理テーブル１２の処理状態を廃棄物情報動作履歴テーブル１４に書き込む。
【００４１】
すなわち、廃棄物情報動作履歴保存手段１１０は、監視装置１の廃棄物情報テーブル１１が工程管理装置２または制御装置３の間で伝送を行う廃棄物情報である監視装置廃棄物情報通知データＤ１３、監視装置廃棄物情報在荷データＤ１１、工程管理装置廃棄物情報通知データＤ１４、及び制御装置廃棄物情報通知データＤ１２の処理動作状態や、それらのデータ信号の生成・管理のために内部処理する廃棄物情報内部処理テーブル１２の処理状態を、廃棄物情報動作履歴テーブル１４に書き込む。
【００４２】
また、廃棄物情報動作履歴表示手段１１１を用いて動作履歴の表示要求を行い、廃棄物情報動作履歴テーブル１４から動作履歴を抽出し画面表示する。
【００４３】
第７の実施の形態によれば、工程管理装置とのデータ伝送状況または制御装置からの廃棄物位置の移動処理の経過記録として採取・表示するので、工程管理装置または制御装置が機能喪失した際の廃棄物情報の破損・欠落などの要因を特定できる。すなわち、廃棄物情報が不適切な状態になった場合に、廃棄物情報の更新が適切に行えなかった原因を究明または特定できるので、問題の早期解決及び以後の運転操作の効率化を図れる。
【図面の簡単な説明】
【００４４】
【図１】本発明の第１の実施の形態に係わるプラント運転監視装置の構成図。
【図２】本発明の第２の実施の形態に係わるプラント運転監視装置の構成図。
【図３】本発明の第３の実施の形態に係わるプラント運転監視装置の構成図。
【図４】本発明の第４の実施の形態に係わるプラント運転監視装置の構成図。
【図５】本発明の第５の実施の形態に係わるプラント運転監視装置の構成図。
【図６】本発明の第６の実施の形態に係わるプラント運転監視装置の構成図。
【図７】本発明の第７の実施の形態に係わるプラント運転監視装置の構成図。
【図８】従来のプラント運転監視装置の構成図。
【符号の説明】
【００４５】
１…監視装置、２…工程管理装置、３…制御装置、４…制御ＬＡＮ、１１…廃棄物情報テーブル、１２…廃棄物情報内部処理テーブル、１３…廃棄物情報変更操作履歴テーブル、１４…廃棄物情報動作履歴テーブル、２１…工程管理装置廃棄物情報テーブル、３１…制御装置廃棄物情報テーブル、１０１…廃棄物情報入力手段、１０２…廃棄物情報送信手段、１０３…廃棄物情報更新手段、１０４…廃棄物情報切替手段、１０５…廃棄物情報内部処理判定手段、１０６…廃棄物情報イベント処理判断手段、１０７…廃棄物情報更新履歴保存手段、１０８…廃棄物情報更新履歴表示手段、１０９…廃棄物情報一覧表示手段、１１０…廃棄物情報動作履歴保存手段、１１１…廃棄物情報動作履歴表示手段
【図１】
2006107011.tif 000003
【図２】
2006107011.tif 000004
【図３】
2006107011.tif 000005
【図４】
2006107011.tif 000006
【図５】
2006107011.tif 000007
【図６】
2006107011.tif 000008
【図７】
2006107011.tif 000009
【図８】
2006107011.tif 000010